【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
ソーシャルネットワーキングサービスにおいて他の端末装置から送信されたソーシャルデータを、ネットワークを介して受信する処理を行う受信処理部と、
受信した前記ソーシャルデータを表示部に表示する制御を行う表示制御部と、
表示された前記ソーシャルデータに対応して、撮像部により撮像された撮像画像に対応する画像情報、又は保存されている画像情報を取得する画像取得部と、
前記ソーシャルデータが前記表示部に表示された後に前記画像取得部が取得した前記画像情報を、前記ソーシャルデータと関連づけて送信する処理を行う送信処理部と、
を含むことを特徴とする端末装置。
【請求項２】
請求項１において、
前記送信処理部は、
前記ソーシャルデータが作成された作成時間情報、前記ソーシャルデータが送信された送信時間情報、及び前記ソーシャルデータが受信された受信時間情報のうち少なくとも１つの情報に基づいて、前記画像情報を、前記ソーシャルデータと関連づけて送信する処理を行うことを特徴とする端末装置。
【請求項３】
請求項１において、
前記送信処理部は、
前記ソーシャルデータが作成された作成時間情報、又は前記ソーシャルデータが送信された送信時間情報、又は前記ソーシャルデータが受信された受信時間情報と、前記撮像画像が撮像された撮像時間情報との比較処理、
及び、
前記作成時間情報、又は前記送信時間情報、又は前記受信時間情報と、前記画像情報を送信する画像送信情報との比較処理、
のうちの少なくとも１つの比較処理に基づいて、前記画像情報を、前記ソーシャルデータと関連づけて送信する処理を行うことを特徴とする端末装置。
【請求項４】
請求項２又は３において、
前記受信処理部は、
前記ソーシャルデータとして、第１のソーシャルデータと、前記第１のソーシャルデータよりも後のタイミングで受信される第２のソーシャルデータとを受信する処理を行い、
前記送信処理部は、
前記第１のソーシャルデータの受信処理後、前記第２のソーシャルデータの受信処理までに、前記画像取得部により取得された画像情報と、前記第１のソーシャルデータとを関連づけて送信する処理を行うことを特徴とする端末装置。
【請求項５】
請求項１乃至４のいずれかにおいて、
前記ソーシャルデータの受信処理前又は後の撮影に関する情報である撮影情報、前記ソーシャルデータの受信処理前又は後のユーザの行動に関する情報である行動情報、及び前記ソーシャルデータの少なくとも１つに基づいて、前記画像情報に対して付加されるメタデータを作成するメタデータ作成部を含み、
前記送信処理部は、
前記メタデータに基づいて、前記画像情報を前記ソーシャルデータに関連づけて送信する処理を行うことを特徴とする端末装置。
【請求項６】
請求項５において、
前記メタデータ作成部は、
前記ソーシャルデータが作成された作成時間情報、前記ソーシャルデータが送信された送信時間情報、及び前記ソーシャルデータが受信された受信時間情報のうち少なくとも１つの情報に基づいて、前記メタデータを作成することを特徴とする端末装置。
【請求項７】
請求項５又は６において、
前記メタデータ作成部は、
文章データである前記ソーシャルデータの少なくとも一部を、前記メタデータとして作成することを特徴とする端末装置。
【請求項８】
請求項７において、
前記メタデータ作成部は、
前記文章データである前記ソーシャルデータに対して構文解析処理を行い、前記構文解析処理により取得された、前記ソーシャルデータに含まれる単語又は文節を前記メタデータとして作成することを特徴とする端末装置。
【請求項９】
請求項８において、
前記メタデータ作成部は、
前記構文解析処理により取得された、前記ソーシャルデータに含まれる前記単語又は前記文節のうち、文章における使用頻度情報に基づいて選択された前記単語又は前記文節を前記メタデータとして作成することを特徴とする端末装置。
【請求項１０】
請求項７乃至９のいずれかにおいて、
前記メタデータ作成部は、
前記文章データである前記ソーシャルデータのうち、文頭又は文末から所与の文字数を抜き出したデータを前記メタデータとして作成することを特徴とする端末装置。
【請求項１１】
請求項５乃至１０のいずれかにおいて、
前記メタデータ作成部は、
前記ソーシャルデータの取得処理から前記ソーシャルデータが前記表示部に表示されるまでの第１の時間情報と、前記ソーシャルデータの取得処理から前記画像情報が取得されるまでの第２の時間情報と、前記ソーシャルデータの取得処理から前記送信処理部による前記画像情報の送信処理までの第３の時間情報とのうちの少なくとも１つを、前記撮影情報として取得し、取得した前記撮影情報に基づいて、前記メタデータを作成することを特徴とする端末装置。
【請求項１２】
請求項５において、
前記メタデータ作成部は、
前記画像情報の一部を指定する部分指定情報をユーザから受け付け、前記部分指定情報をメタデータとして作成することを特徴とする端末装置。
【請求項１３】
請求項１２において、
前記メタデータ作成部は、
前記部分指定情報とともに、前記部分指定情報に関するユーザからのコメント情報を受け付け、前記部分指定情報と前記コメント情報を関連づけた情報を、前記メタデータとして作成することを特徴とする端末装置。
【請求項１４】
請求項１乃至１３のいずれかにおいて、
前記表示制御部は、
前記ソーシャルデータが送信された送信時間情報、前記ソーシャルデータが受信された受信時間情報のいずれかに基づいて、前記ソーシャルデータを前記表示部に表示する制御を行うことを特徴とする端末装置。
【請求項１５】
請求項１４において、
前記受信処理部により、第１〜第Ｎ（Ｎは２以上の整数）のソーシャルデータが受信された場合に、
前記表示制御部は、
前記第１〜第Ｎのソーシャルデータに対応する第１〜第Ｎの送信時間情報の比較処理、又は第１〜第Ｎの受信時間情報の比較処理を行い、前記第１〜第Ｎのソーシャルデータのうち、より後のタイミングにおいて送信又は受信された前記ソーシャルデータを、優先的に前記表示部に表示する制御を行うことを特徴とする端末装置。
【請求項１６】
請求項１乃至１５のいずれかにおいて、
前記送信処理部は、
前記画像情報と前記ソーシャルデータを関連づけた情報に加え、前記端末装置の識別に用いられる認証用情報を送信する処理を行うことを特徴とする端末装置。
【請求項１７】
請求項１乃至１６のいずれかにおいて、
前記受信処理部は、
前記送信処理部により送信された前記画像情報に対して、送信先であるサーバシステムにおいて行われた評価処理の結果を表す評価結果情報を、前記サーバシステムから受信することを特徴とする端末装置。
【請求項１８】
請求項１７において、
前記受信処理部は、
前記サーバシステムにおける前記評価処理の結果に基づいて、前記サーバシステムから評価特典情報を受信することを特徴とする端末装置。
【請求項１９】
請求項１８において、
前記受信処理部は、
前記他の端末装置を用いて前記ソーシャルデータの発信を行ったソーシャルデータ発信ユーザに関する情報を、前記評価特典情報として受信することを特徴とする端末装置。
【請求項２０】
請求項１乃至１９のいずれかにおいて、
前記ソーシャルデータは、ツイートデータであることを特徴とする端末装置。
【請求項２１】
ソーシャルネットワーキングサービスにおいて配信側端末装置から送信されるソーシャルデータを取得するソーシャルデータ取得部と、
取得した前記ソーシャルデータを複数の配信先端末装置に対して送信するソーシャルデータ送信部と、
前記ソーシャルデータが送信された前記配信先端末装置から、前記ソーシャルデータに関連づけられた画像情報を取得する画像情報取得部と、
を含むことを特徴とするサーバシステム。
【請求項２２】
請求項１乃至２０のいずれかに記載の端末装置と、
ソーシャルネットワーキングサービスにおいて、ソーシャルデータを送信する配信側端末装置と、
前記配信側端末装置から送信される前記ソーシャルデータを、前記端末装置に配信するサーバシステムと、
を含み、
前記サーバシステムは、
前記配信側端末装置から送信される前記ソーシャルデータを取得するソーシャルデータ取得部と、
取得した前記ソーシャルデータを複数の前記端末装置に対して送信するソーシャルデータ送信部と、
前記ソーシャルデータが送信された前記端末装置から、前記ソーシャルデータに関連づけられた画像情報を取得する画像情報取得部と、
を含むことを特徴とする情報処理システム。
【請求項２３】
ソーシャルネットワーキングサービスにおいて他の端末装置から送信されたソーシャルデータを、ネットワークを介して受信する処理を行う受信処理部と、
受信した前記ソーシャルデータを表示部に表示する制御を行う表示制御部と、
撮像部により撮像された撮像画像に対応する画像情報を取得する画像取得部と、
前記ソーシャルデータが前記表示部に表示された後に前記画像取得部が取得した前記画像情報を前記ソーシャルデータと関連づけて送信する処理を行う送信処理部として、
コンピュータを機能させることを特徴とするプログラム。
【請求項２４】
ソーシャルネットワーキングサービスにおいて配信側端末装置から送信されるソーシャルデータを取得するソーシャルデータ取得部と、
取得した前記ソーシャルデータを複数の配信先端末装置に対して送信するソーシャルデータ送信部と、
前記ソーシャルデータが送信された前記配信先端末装置から、前記ソーシャルデータに関連づけられた画像情報を取得する画像情報取得部として、
コンピュータを機能させることを特徴とするプログラム。
【手続補正２】
【補正対象書類名】明細書
【補正対象項目名】発明の名称
【補正方法】変更
【補正の内容】
【発明の名称】端末装置、サーバシステム、情報処理システム及びプログラム
【手続補正３】
【補正対象書類名】明細書
【補正対象項目名】０００１
【補正方法】変更
【補正の内容】
【０００１】
本発明は、端末装置、サーバシステム、情報処理システム及びプログラム等に関する。